(57)【要約】【課題】第一の情報と第二の情報とにおける情報取得条件の違いに基づく第三の情報への変換精度の低下を抑えることを可能にする。【解決手段】本発明の一実施の形態は、対象から情報を検出する情報検出装置において、対象基準から情報を得る第一の情報取得動作と、対象から情報を得る第二の情報取得動作と、前記第一の情報取得動作によって得られる第一の情報を用いて、前記第二の情報取得動作によって得られる第二の情報を前記第一の情報および前記第二の情報とは異なる次元を持つ第三の情報に変換する情報変換動作の制御部を有し、前記制御部は、前記第一の情報取得動作と前記第二の情報取得動作とにおける情報取得条件が共に同じになるように制御する、ことを特徴とする。【選択図】図１
2019193222.tif 000002
【特許請求の範囲】
【請求項１】
対象から情報を検出する情報検出装置において、
対象基準から情報を得る第一の情報取得動作と、対象から情報を得る第二の情報取得動作と、前記第一の情報取得動作によって得られる第一の情報を用いて、前記第二の情報取得動作によって得られる第二の情報を前記第一の情報および前記第二の情報とは異なる次元を持つ第三の情報に変換する情報変換動作の制御部を有し、
前記制御部は、前記第一の情報取得動作と前記第二の情報取得動作とにおける情報取得条件が共に同じになるように制御する、
ことを特徴とする情報検出装置。
【請求項２】
被写体に光を照射する光源と、
前記被写体からの前記光を受光する読取センサと、
基準被写体を読み取る第一の読取動作と、被写体を読み取る第二の読取動作と、前記第一の読取動作によって得られる第一の色情報を用いて色変換式を生成する色変換式生成動作と、前記色変換式を用いて、前記第二の読取動作によって得られる第二の色情報を、前記第一および第二の色情報とは異なる色空間を持つ第三の色情報に変換する色変換動作とを制御する制御部と、
を有し、
前記制御部は、前記第一の読取動作と前記第二の読取動作とにおける前記光源の照射条件が共に同じになるように制御する、
ことを特徴とする読取装置。
【請求項３】
前記色変換式生成動作は前記光源の個体毎に行う、
ことを特徴とする請求項２に記載の読取装置。
【請求項４】
前記光源はＬＥＤである、
ことを特徴とする請求項２又は３に記載の読取装置。
【請求項５】
前記光源の照射条件は前記光源の駆動電流である、
ことを特徴とする請求項２乃至４の内の何れか一項に記載の読取装置。
【請求項６】
前記制御部は、
前記色変換式生成動作の前に前記駆動電流を調整する光量調整動作を行い、
前記光量調整動作において前記光源の光量を最大化するよう調整する、
ことを特徴とする請求項５に記載の読取装置。
【請求項７】
前記制御部は、
前記色変換式生成動作の前に前記駆動電流を調整する光量調整動作を行い、
前記光量調整動作において前記基準被写体よりも明るい被写体を読み取った場合でも前記第一および第二の色情報が飽和しない光量に調整する、
ことを特徴とする請求項５に記載の読取装置。
【請求項８】
前記基準被写体よりも明るい被写体とは反射率１００％以上の被写体である、
ことを特徴とする請求項７に記載の読取装置。
【請求項９】
前記読取センサからの信号を増幅する増幅部を備え、
前記増幅部は、前記光量調整動作の後、かつ、前記色変換式生成動作の前に増幅率が調整される、
ことを特徴とする請求項５乃至８の内の何れか一項に記載の読取装置。
【請求項１０】
請求項２乃至９の内の何れか一項に記載の読取装置と、
前記読取装置で変換された前記第三の色情報に基づいて画像を形成する画像形成部と、
を有することを特徴とする画像形成装置。
【請求項１１】
前記基準被写体は、前記画像形成部で画像形成した印刷画像である、
ことを特徴とする請求項１０に記載の画像形成装置。
【請求項１２】
対象から情報を検出する情報検出方法であって、
対象基準から情報を得る第一の情報取得動作と、
対象から情報を得る第二の情報取得動作と、
前記第一の情報取得動作によって得られる第一の情報を用いて、前記第二の情報取得動作によって得られる第二の情報を前記第一の情報および前記第二の情報とは異なる次元を持つ第三の情報に変換する情報変換動作と、
を行い、
前記第一の情報取得動作と前記第二の情報取得動作とにおける情報取得条件を共に同じにする、
ことを特徴とする情報検出方法。
【請求項１３】
コンピュータに、
対象基準から情報を得る第一の情報取得動作と、
対象から情報を得る第二の情報取得動作と、
前記第一の情報取得動作によって得られる第一の情報を用いて、前記第二の情報取得動作によって得られる第二の情報を前記第一の情報および前記第二の情報とは異なる次元を持つ第三の情報に変換する情報変換動作と、
を実行させ、
前記第一の情報取得動作と前記第二の情報取得動作とにおける情報取得条件を共に同じに制御させる、
ことを特徴とするプログラム。
【発明の詳細な説明】
【技術分野】
【０００１】
本発明は、情報検出装置、読取装置、画像形成装置、情報検出方法、およびプログラムに関する。
【背景技術】
【０００２】
ＰＰ（Production  Print）分野において、印刷した画像を印刷機等の機内に設けたセンシング機構（インラインセンサ）で読み取り、その結果を印刷機構にフィードバックする機内センシング技術がある。インラインセンサは画像読取装置と同じ機構が採用されるのが一般的である。インラインセンサで読み取られた画像は、ＲＧＢの色空間からＣＭＹＫやＬａｂ、Ｌｕｖなどの別の次元の色空間の情報に変換され、その色情報が調整機能へとフィードバックされる。
【０００３】
インラインセンサで採用される光源はＬＥＤが主流である。ＬＥＤは一般に製造ばらつきにより色度がばらつくことで知られている。このばらつきに基づく色空間の変換時の影響を吸収する技術を開示した文献がある。光源の発光色と同じ色見本を読み取り、その読取り結果から光源の色度を推定して色変換式を切り替える技術である（特許文献１参照）。
【発明の概要】
【発明が解決しようとする課題】
【０００４】
しかし、ＬＥＤには発光強度（光度）のばらつきがある。通常、発光強度の調整は、ＬＥＤの駆動電流の増減により光量を調整することにより行う。このように駆動電流を変化させた場合、ＬＥＤの色度が予測とは異なるばらつきを示し、色見本等の対象基準の読み取りにより生成した色変換式で色変換した場合に色変換精度が低下する。近年では、高色再現性・高色安定性の印刷品質が要求されるため色変換精度の低下は印刷品質において特に問題となる。また、この問題は、色度以外の情報の情報検出分野において広く共通する課題でもある。一般化すると、第一の情報と第二の情報とにおいて駆動電流等の情報取得条件の違いにより第三の情報への変換精度が低下するという問題がある。
【０００５】
本発明は、上記に鑑みてなされたものであって、第一の情報と第二の情報とにおける情報取得条件の違いに基づく第三の情報への変換精度の低下を抑えることが可能な情報検出装置、読取装置、画像形成装置、情報検出方法、およびプログラムを提供することを目的とする。
【課題を解決するための手段】
【０００６】
上述した課題を解決し、目的を達成するために、本発明の一実施の形態は、対象から情報を検出する情報検出装置において、対象基準から情報を得る第一の情報取得動作と、対象から情報を得る第二の情報取得動作と、前記第一の情報取得動作によって得られる第一の情報を用いて、前記第二の情報取得動作によって得られる第二の情報を前記第一の情報および前記第二の情報とは異なる次元を持つ第三の情報に変換する情報変換動作の制御部を有し、前記制御部は、前記第一の情報取得動作と前記第二の情報取得動作とにおける情報取得条件が共に同じになるように制御する、ことを特徴とする。
【発明の効果】
【０００７】
本発明によれば、第一の情報と第二の情報とにおける情報取得条件の違いに基づく第三の情報への変換精度の低下を抑えることが可能なるという効果を奏する。
【図面の簡単な説明】
【０００８】
【図１】図１は、本実施の形態に係る情報検出装置の基本構成の一例を示す図である。
【図２】図２は、制御部による制御フローの一例を示す図である。
【図３】図３は、実施例１の読取装置の構成の一例を示す図である。
【図４】図４は、主制御部による制御フローの一例を示す図である。
【図５】図５は、光源の駆動電流値を固定することによる効果の説明図である。
【図６】図６は、変形例１の読取装置の構成の一例を示す図である。
【図７】図７は、主制御部による制御フローの一例を示す図である。
【図８】図８は、変形例１の構成で駆動電流の固定を行った場合における色度のばらつきを示す図である。
【図９】図９は、光源の光量を最大とする光量調整動作の制御フローを示す図である。
【図１０】図１０は、色変換の対応濃度範囲を拡張させる場合の光量調整動作の制御フローを示す図である。
【図１１】図１１は、変形例２の読取装置の構成の一例を示す図である。
【図１２】図１２は、主制御部による制御フローの一例を示す図である。
【図１３】図１３は、実施例２の複合機の構成の一例を示す図である。
【発明を実施するための形態】
【０００９】
（実施の形態）
以下に添付図面を参照して、情報検出装置、読取装置、画像形成装置、情報検出方法、およびプログラムの実施の形態を詳細に説明する。なお、この実施の形態は一例であり、各形態を適宜組み合わせたり、変形したりして実施してもよい。
【００１０】
図１は、本実施の形態に係る情報検出装置の基本構成の一例を示す図である。図１には、情報検出装置１の一例として、取得部１１と情報変換部１２と制御部１３とを含む構成を示している。なお、情報検出装置１は、少なくとも取得部１１と情報変換部１２とを制御可能な制御部１３を有していれば、取得部１１と情報変換部１２とを外部に備えていてもよい。
【００１１】
取得部１１は、情報取得対象である対象基準および対象から情報を得る。対象基準から得られた情報（第一の情報）は、対象から得られた情報（第二の情報）の基準情報として使用される。
【００１２】
情報変換部１２は、対象基準から得られた第一の情報に基づき、対象から得られた第二の情報を第三の情報に変換する。例えば、情報変換部１２は、第一の情報に基づく情報変換式により第二の情報を第三の情報に変換する。ここで、情報変換式は、第二の情報（第一の情報も同様）とは異なる次元で示される第三の情報に変換する変換式である。異なる次元は、第二の情報（第一の情報も同様）とは異なるパラメータ群で示される座標系を指す。例えば、色空間であれば「ＲＧＢ」表色系の色空間と「Ｌ＊ａ＊ｂ＊」表色系の色空間の違いである。
【００１３】
制御部１３は、制御対象を第一の情報取得動作、第二の情報取得動作、および情報変換動作を行うように制御する。第一の情報取得動作では、取得部１１が対象基準から第一の情報を取得する。第二の情報取得動作では、取得部１１が対象から第二の情報を取得する。情報変換動作では、情報変換部１２が第一の情報に基づき（例えば第一の情報に基づく情報変換式により）第二の情報を第三の情報に変換する。
【００１４】
さらに、制御部１３は、第一の情報取得動作と第二の情報取得動作において、共に情報取得条件が同じになるように制御対象を制御する。具体的に、制御部１３は、取得部１１が対象基準と対象とから情報を取得する際のそれぞれの情報取得条件を同じにする。また、制御部１３は、情報取得条件に基づき情報変換部１２を制御する。
【００１５】
図２は、制御部１３による制御フローの一例を示す図である。図２（ａ）は第一の情報取得動作と情報変換動作とを行う情報検出準備段階の制御フローを示し、図２（ｂ）は第二の情報取得動作と情報変換動作とを行う情報検出実行段階の制御フローを示している。
【００１６】
先ず制御部１３は、情報検出準備段階において、図２（ａ）に示す制御により情報変換式を生成する。具体的に、制御部１３は、第一の情報取得動作として、取得部１１の情報取得条件を固定し（Ｓ１）、当該情報取得条件に固定した状態で取得部１１に第一の情報を取得させる（Ｓ２）。
【００１７】
続いて、制御部１３は、情報変換動作として、情報変換部１２に第一の情報に基づき情報変換式を算出させる（Ｓ３）。算出により生成された情報変換式は、情報変換部１２で保持する。
【００１８】
このように、制御部１３は、情報検出準備段階において第一の情報取得動作と情報変換動作とを行うことにより、対象から第一の情報を得て情報変換式を生成する。
【００１９】
続いて制御部１３は、情報検出実行段階において、図２（ｂ）に示す制御により情報検出を行う。具体的に、制御部１３は、第二の情報取得動作として、ステップＳ１の情報取得条件と同じ条件で取得部１１に第二の情報を取得させる（Ｓ５）。
【００２０】
続いて、制御部１３は、情報変換動作として、ステップＳ３で生成された情報変換式を指定して情報変換部１２により第二の情報を第三の情報に変換させる（Ｓ６）。
【００２１】
以上の構成により、本実施の形態に係る情報検出装置は、第一の情報を取得したときと同じ情報取得条件で第二の情報を取得し、第二の情報を第一の情報に基づいて第三の情報へと変換する。つまり、本実施の形態に係る情報検出装置は、第一の情報取得動作と第二の情報取得動作とにおいて情報取得条件が同じ値に固定されることにより、第一の情報と第二の情報との相関が高められる。よって、本実施の形態に係る情報検出装置は、第一の情報と第二の情報とにおける情報取得条件の違いに基づく第三の情報への変換精度の低下が抑えられ、第三の情報への変換精度が維持または向上する。
【００２２】
なお、情報取得条件は、情報の取得に関わる全ての因子（例えば環境温度、取得部１１の駆動電流や駆動電圧等）について一致させることが望ましいが、取得部１１の駆動電流や駆動電圧等のような一部の因子について一致させた場合であっても第三の情報への変換精度の低下は抑えられ、第三の情報への変換精度が維持または向上する。
【００２３】
（実施例１）
続いて、図１に示す情報検出装置１を読取装置へ適用した場合について示す。情報検出装置１は、例えば印刷機のキャリブレーションに使用する読取装置（インラインセンサ）などへの適用が考えられる。以下、実施例１として印刷機のキャリブレーションに使用する読取装置（インラインセンサ）への適用例について示す。
【００２４】
図３は、実施例１の読取装置の構成の一例を示す図である。図３には、当該読取装置の主な構成を示している。図３に示す読取装置２は、主に光源２１、イメージセンサ２２、信号処理部２３、色変換部２４、色変換式設定部２５、光源駆動固定化制御部２６、および主制御部２７を有する。なお、図３には、読取装置２を印刷機本体に装着する場合の構成例として印刷機本体に設けられた画像処理部２８を示している。画像処理部２８は、図３に示すように印刷機本体に設けてもよいし、あるいは読取装置２に設けてもよい。
【００２５】
光源２１は、読取対象に光を照明する。ここでは、光源２１として擬似白色ＬＥＤ（Light  Emitting  Diode）を使用した場合の一例を示す。擬似白色ＬＥＤは、青色ＬＥＤチップおよび黄色（青色の補色）の蛍光体により構成されており、青色ＬＥＤチップから発光した青色の光と、その光により蛍光体が励起して発光する黄色の光との混合により、擬似的な白色光を生成する。蛍光体は、例えば、黄色の蛍光材料が含有された透過樹脂などである。なお、ここで説明する擬似白色ＬＥＤの構成は一例であり、この構成以外であってもよい。例えば、他の色のＬＥＤや蛍光体を適宜組み合わせたものを使用してもよい。以下では、特に説明しない限り「白色ＬＥＤ」は「擬似白色ＬＥＤ」を指すものとする。
【００２６】
「読取対象（被写体）」は「対象基準」や「対象」に相当するものである。以下において「読取対象」の内の「基準チャート（基準被写体）」が「対象基準」に相当し、「印刷された画像（印刷画像）」が「対象」に相当する。
【００２７】
イメージセンサ２２は、「読取センサ」の一例であり、ＣＣＤ（Charge  Coupled  Device）やＣＭＯＳ（Complementary  Metal  Oxide  Semiconductor）などのイメージセンサである。イメージセンサ２２は、光源２１が読取対象に照射した光の反射光を光学系（光学レンズや光学ミラーなど）を介して受光面で受光する。イメージセンサ２２は、受光面で受光した読取対象の光の像を画素単位で光電変換し、その読取対象の画像信号を黒レベル補正を行うなどして後段に出力する。なお、図３には一例として、イメージセンサがＲ（Ｒｅｄ）色とＧ（Ｇｒｅｅｎ）色とＢ（Ｂｌｕｅ）色で構成されるＲＧＢ画像の画像信号を出力した場合のものについて示している。
【００２８】
信号処理部２３は、イメージセンサ２２から出力された画像信号（Ｒ画像信号、Ｇ画像信号、Ｂ画像信号）に対してＡ／Ｄ変換やシェーディング補正などの各種信号処理を行う。
【００２９】
色変換部２４は、信号処理部２３が出力した画像データを任意の色空間値に変換する。図３には一例として、「ＲＧＢ」表色系から「Ｌ＊ａ＊ｂ＊」表色系の色空間値に変換する場合のものについて示している。ここで、「ＲＧＢ」表色系で示される色空間が「第一の色空間」に相当し、色変換部２４により変換された「Ｌ＊ａ＊ｂ＊」表色系で示される色空間が「第二の色空間」に相当する。色変換部２４は、工場出荷前に生成された色変換式をメモリなどで保持し、その色変換式により第一の色空間から第二の色空間へと色空間値を変換することにより、第一の情報（または第二の情報）を第三の情報へと変換する。
【００３０】
色変換式設定部２５は、工場出荷前の設定段階（情報検出準備段階に相当）において光源駆動固定化制御部２６が固定した光源２１の駆動電流値毎に、その駆動電流値に対応する色変換式を色変換部２４に設定する。また、色変換式設定部２５は、工場出荷後のユーザによる使用段階（情報検出実行段階に相当）において、「基準チャート」の読み取りにより得られる色変換部２４の出力値（例えば「ｂ＊」値）を用いて、色度を推定し、色変換部２４に設定されている色変換式の内の推定した色度に近い最適な色変換式を、その読取装置で使用する色変換式として選択決定する。
【００３１】
光源駆動固定化制御部２６は、光源２１の照射条件である駆動電流値を固定し、色変換と駆動電流値とを同期化するため、固定した駆動電流値を色変換式設定部２５に出力する。
【００３２】
主制御部２７は、読取装置２全体の動作を制御する。また、後段の画像形成部（不図示）に印刷指示を行う。
【００３３】
画像処理部２８は、第二の色空間へ変換した信号（第三の情報）を印刷機本体の印刷形式（一例としてＣＭＹＫとする）に変換する。
【００３４】
ここで、主に光源２１およびイメージセンサ２２が取得部１１（図１参照）に対応する。主に色変換部２４および色変換式設定部２５が情報変換部１２（図１参照）に対応する。主に光源駆動固定化制御部２６および主制御部２７が制御部１３（図１参照）に対応する。
【００３５】
続いて、読取装置２における「第一情報取得動作」、「第二情報取得動作」、および「情報変換動作」について説明する。
【００３６】
図４は、主制御部２７による制御フローの一例を示す図である。図４（ａ）は色検出準備段階において第一の情報取得動作と情報変換動作とを行う制御フローを示し、図４（ｂ）は色検出実行段階において第二の情報取得動作（第一の情報取得動作についても同じ）と情報変換動作とを行う制御フローを示している。
【００３７】
先ず主制御部２７は、工場出荷前などの色検出準備段階において、図４（ａ）に示す制御により色変換式を生成し、生成した色変換式を色変換部２４に設定する。
【００３８】
具体的に、主制御部２７は、先ず、光量調整を行い、電流値を固定する（Ｓ１１）。光量調整は光源２１の照射状態が所望の状態となるよう光源２１の駆動電流を調整することにより行う。光量調整後は光源駆動固定化制御部２６により駆動電流をその調整値に固定する。
【００３９】
続いて、主制御部２７は、後段の画像形成部により基準チャートを印刷し（Ｓ１２）、印刷された基準チャートの画像をイメージセンサ２２で読み取る（Ｓ１３）。
【００４０】
続いて、主制御部２７は、イメージセンサ２２が読み取った基準チャートの画像データに基づいて色変換式を算出する（Ｓ１４）。算出した色変換式は、色変換式設定部２５により色変換部２４のメモリに対して設定され、メモリにより保持される。
【００４１】
ここで、色変換式は例えば任意のパラメータ群で構成された高次変換マトリクスであり、調整された駆動電流値に最適化された色変換式が算出される。なお、色変換式は、基準チャートの画像データを印刷した印刷画像から測色機で生成したものを使用してもよい。
【００４２】
続いて、主制御部２７は、工場出荷後のユーザ使用時（色検出実行段階）において、図４（ｂ）に示す制御により色検出を行う。
【００４３】
具体的に、主制御部２７は、先ず色検出したい被写体を読み取るために、この例では画像形成部で画像を印刷し（Ｓ２１）、その印刷画像をイメージセンサ２２で読み取る（Ｓ２２）。画像読取時の光源２１の駆動電流は光源駆動固定化制御部２６により色検出準備段階において固定した駆動電流値（調整値）に固定されている。
【００４４】
続いて、主制御部２７は、イメージセンサ２２で読み取った印刷画像の画像データに基づき、複数の色変換式の中から最適なものを選択する（Ｓ２３）。
【００４５】
続いて、主制御部２７は、選択された色変換式により当該画像データを「ＲＧＢ」表色系から「Ｌ＊ａ＊ｂ＊」表色系の色空間値に変換する（Ｓ２４）。変換された色空間値は後段のアプリケーションに応じ、この例では画像処理部２８でＣＭＹＫに変換する（Ｓ２５）。変換されたデータは、後段の画像形成部にフィードバックするなどして、画像形成部の形成条件の補正に利用される。
【００４６】
なお、本実施例では、光量調整は駆動電流を可変して調整する例を示しているが、これに限定されず例えば電圧調整でもよい。また、基準チャートは画像形成部で印刷されたものとしているが、基準色板のような色味が既知であり、画像形成部とは無関係な媒体でもよい。さらに、画像処理部２８の変換はＣＭＹＫに限らず、後段のアプリケーションに応じて適宜変更してもよい。
【００４７】
このように、当該読取装置２では色検出準備段階において、光源２１の駆動電流値を固定したまま、印刷した基準チャートの画像を読み取り、その画像データ（「第一の情報」に対応）に基づき色変換式を生成する。また、色検出実行段階において、色検出準備段階で固定した駆動電流値で印刷画像を読み取り、その画像データ（「第二の情報」に対応）に対して選択した色変換式により、ＲＧＢ表色系の色空間（「第一の色空間」に対応）からＬ＊ａ＊ｂ＊表色系の色空間（「第二の色空間」に対応）で示される画像データ（「第三の情報」に対応）へ変換する。
【００４８】
次に、光源駆動固定化制御部２６により光源２１の駆動電流値を固定することによる効果について説明する。
【００４９】
図５は、光源２１の駆動電流値を固定することによる効果の説明図である。図５（ａ）および図５（ｂ）には、光源の駆動電流の調整を考慮しない限定的な条件下における色変換式と使用する光源の色度とのばらつきの関係を示している。図５（ｃ）および図５（ｄ）には、光源の駆動電流の調整が必要な場合において駆動電流の固定を行わなかった場合における色変換式と使用する光源の色度とのばらつきの関係を示している。図５（ｅ）および図５（ｆ）には、本実施の形態に係る読取装置のように、光源の駆動電流の調整が必要な場合において駆動電流の固定を行った場合における色変換式と使用する光源の色度とのばらつきの関係を示している。この内、図５（ａ）、図５（ｃ）、図５（ｅ）には、各ケースにおける光源２１の光の波長と発光強度との関係をグラフで示しており、図５（ｂ）、図５（ｄ）、図５（ｆ）には、各ケースにおける色変換式と使用する光源の色度とのばらつきの関係をＸＹ色度図上に示している。
【００５０】
先ず、図５（ａ）および図５（ｂ）のケースを用いて、色変換式と使用する光源の色度とのばらつきの関係について説明する。図５（ａ）に示すように波長領域全体の発光強度特性は、青色ＬＥＤが発光する青色の光と蛍光体の黄色の光との混合比に応じて変化する。波長が短い側の青色領域には、主に青色ＬＥＤが発光する光の発光強度特性を示している。また、青色領域よりも波長が長い領域には、主に蛍光体の光の発光強度特性を示している。これらの２つの領域には、それぞれ、青色の発光強度のピークと、黄色の発光強度のピークが含まれている。本実施例で使用する白色ＬＥＤは製造ばらつきがある。例えば蛍光体の黄色の塗りムラなどがこれに当たる。これにより、使用する白色ＬＥＤの青色と黄色の混合比に応じ、白色ＬＥＤの特性グラフはＡからＢの何れかをとる。
【００５１】
図５（ｂ）には、色変換部２４に設定されている色変換式（色変換式１、色変換式２、色変換式３、・・・）が対応する色度を白丸（１、２、３、・・・）で示し、使用する白色ＬＥＤの色度（ｘ、ｙ）を黒丸で示している。図５（ｂ）に示すように、光源２１の駆動電流の調整を考慮しない限定的な条件下であれば、発光色の混合比に応じて色度が単調に変化するだけであるため、使用する各白色ＬＥＤの色度（黒丸）は色度（白丸）の直線上（または直線の近傍）を追随する。このため、使用する白色ＬＥＤの色度（黒丸）に最も近い色度（白丸）の色変換式を使用することで色変換誤差を少なく抑えることができる。
【００５２】
続いて、光源２１の駆動電流の調整が必要な場合の色度のばらつきについて説明する。通常は駆動電流の調整が必要なため、このケースを考える必要がある。図５（ｃ）には、光量調整のために光源２１の駆動電流を調整した場合の光源２１の青色領域の発光強度特性の変化を示している。図５（ｃ）には、一例として電流大から電流小へ調整した場合の例を示している。図５（ｃ）に示すように、駆動電流を増やす（電流大にする）と青色ＬＥＤチップの光波長が長波長側（図５（ｃ）のＡ側）にシフトする、つまり青色の発光波長がシフトする。このとき、図５（ｄ）では、青色の発光波長の変化により青色光の色度（ｘ、ｙ）がｘやｙとは別のパラメータｚで変化し、つまり発光色の混合比による単調な変化とは無関係に色度が変化し、使用する各白色ＬＥＤの色度（黒丸）が色度（白丸）の直線に追随しない。このため、使用する白色ＬＥＤの駆動電流を例えば電流小（Ｂ）に調整した場合に、使用する白色ＬＥＤの色度（黒丸）と、単調直線上の色度（白丸）との相関関係が合わず、単調直線上にある予め用意した色変換式の中から対応色度（図５（ｄ）の白丸３）が検出されても、色変換式が対応せず、色変換の誤差が大きくなって、色変換精度の低下が生じてしまう。
【００５３】
すなわち、このケースでは、光量調整に伴う駆動電流の変化によって色変換精度の低下が生じ、光量（Ｓ／Ｎ）の最適化と色変換精度との両立はできないことになる。
【００５４】
本実施の形態に係る読取装置のように、光源の駆動電流の調整が必要な場合において駆動電流の固定を行えば、その両立は可能である。
【００５５】
具体的に、白色ＬＥＤの駆動電流を固定して色変換式を生成する。そして、その固定した駆動電流で色検出も行う。図５（ｆ）には、一例として白色ＬＥＤの駆動電流を電流小Ｂに固定して色変換式を生成した場合の色変換式の単調直線（色度（白丸））を示している。図５（ｆ）に示すように、使用する白色ＬＥＤの駆動電流を電流小（Ｂ）に調整した場合に、その白色ＬＥＤの色度に対応する単調直線がある。このため、その単調直線上（対応直線上）から近傍の色変換式を選択することにより、駆動電流が調整された場合であっても、色変換の誤差を抑え、色変換精度の低下を抑えることができる。つまり、光量（Ｓ／Ｎ）の最適化と色変換精度との両立が可能になる。
【００５６】
以上のように、色変換式を生成する場合と通常の被写体を読み取る場合とで光源の駆動電流を同じにすることで、駆動電流による色度変化の影響を相殺し、光量調整を実施した場合でも色変換精度の維持または向上が可能になる。よって、光源の発光強度を最適にしつつ、色変換精度の低下も防止することができる。
【００５７】
（変形例１）
実施例１では、色検出準備段階において色変換部２４に複数の色変換式を設定し、色検出実行段階において複数の色変換式から最適な色変換式を選択する構成について示した。変形例１では、個体毎（白色ＬＥＤや読取装置などの個体毎）に、色変換部２４に色変換式を設定して当該色変換式で色検出を行う構成について示す。なお、以下では実施例１と異なる構成について主に説明する。実施例１と共通する部分については同一の番号を付すなどして説明を省略する。
【００５８】
図６は、変形例１の読取装置の構成の一例を示す図である。図６に示す変形例１の読取装置２は、複数の色変換式を、個体１つに限定している点で、実施例１の構成（図３参照）と異なる。図６に示すように、１つの色変換式を設定した色変換部２４０を備える。
【００５９】
図７は、主制御部２７による制御フローの一例を示す図である。図７（ａ）は色検出準備段階において第一の情報取得動作と情報変換動作とを行う制御フローを示し、図７（ｂ）は色検出実行段階において第二の情報取得動作（第一の情報取得動作についても同じ）と情報変換動作とを行う制御フローを示している。
【００６０】
図７（ａ）において、ステップＳ３１〜ステップＳ３４は、実施例１に示す制御フロー（図４参照）のステップＳ１１からステップＳ１４が対応する。実施例１との違いは、ステップＳ１１における電流値の固定を、調整された任意の調整値ではなく、その個体の調整値（この例では、電流値Ａ）としたことである。つまり、色変換生成動作が個体毎に基本的には１回実行されれば良いことになる。なお、本構成のように光源がＬＥＤであれば一般に寿命が長く、経時による光量変化は小さい。このため、本例のように光量調整を１回のみ実施する場合でも色変換精度に与える影響は小さく、経時による光量変化は無視することができる。
【００６１】
図７（ｂ）において、ステップＳ４１、Ｓ４２、Ｓ４３、Ｓ４４は、それぞれ、実施例１に示す制御フロー（図４参照）のステップＳ２１、Ｓ２２、Ｓ２４、Ｓ２５が対応する。実施例１との違いは、ステップＳ４２の電流値を個体の調整値（この例では、電流値Ａ）としたことと、色変換式の選択がないためステップＳ２３（図４参照）を省いたことである。
【００６２】
図８は、変形例１の構成で駆動電流の固定を行った場合における効果を示す図である。本構成では、個体毎に白色ＬＥＤの駆動電流を固定して色変換式を生成する。そして、個体別に、固定した駆動電流で色検出を行う。図８（ａ）には、図５（ｅ）と同様、駆動電流を変えた場合の発光強度特性のシフトを示している。
【００６３】
図８（ｂ）には、一例として電流小Ｂに固定する白色ＬＥＤについての、その個体と色変換式の色度との関係を示している。図８（ｂ）には、白色ＬＥＤの駆動電流を電流小（Ｂ）に固定して生成した色変換式の対応色度を白丸で示している。本構成では、色変換式は個体毎に１つである。このため図８（ｂ）では、図５（ｅ）とは異なり、白丸が一つだけになっている。本構成では、色変換式を生成した白色ＬＥＤを使用して色検出を行うため、色変換式生成時の固定値（電流小Ｂ）で色検出を行うことにより、白色ＬＥＤの色度と色変換式に対応する色度とが一致し、白丸に黒丸が重なっている。
【００６４】
このように、変形例１の構成では、光源の個体毎に、その個体に合った駆動電流値で色変換式を生成することになる。この変換式は、光源の色度や光度の個体ばらつきをも吸収できる。そのため、複数の色変換式をメモリに保持しておく必要がなく、その個体に合った１つの色変換式を保持しておけば良いことになる。従って、本構成では、低コスト化・小規模化も可能となる。
【００６５】
また、変換式の間に色空間が存在する場合、有限の色変換式の中から任意の１つを選択する方式では原理的に色変換誤差が生じてしまうが、本構成では個体毎に最適化された色変換式を生成して色変換に使用するため、色変換誤差をさらに低減することが可能になる。
【００６６】
以上のように、本構成では、個体毎に色変換式を生成するため、個体差も吸収することができる。これにより、色変換の誤差を原理的に抑制し、色変換精度を向上することができる。
【００６７】
続いて、光量調整動作について説明する。ＬＥＤは光度のばらつきが大きいため一般には光量調整が実施される。先ず、光源の光量を最大とする光量調整動作について説明し、その次に、色変換の対応濃度範囲を拡張させる場合の光量調整動作について説明する。
【００６８】
図９は、光源の光量を最大とする光量調整動作の制御フローを示す図である。先ず、主制御部２７は初期光量を設定する（Ｓ１１１）。初期光量は駆動電流を任意の値とすることで設定するが、イメージセンサ２２の飽和を防止するため、ここでは最終的に調整される読取値（目標値Ｂ）よりも低く設定しておくものとする。
【００６９】
続いて、主制御部２７は、基準白板などの基準媒体を読み取り（Ｓ１１２）、その読取値が目標値Ｂを超えるかについて判断する（Ｓ１１３）。具体的には、これ以上光量を上げると目標値Ｂを超えるかについて判断する。
【００７０】
超えないと判断される場合（Ｓ１１３：Ｎｏ）、主制御部２７は、光量をさらに上げるために駆動電流を増やし（Ｓ１１４）、再度基準白板を読み取って（Ｓ１１２）、その読取値が目標値Ｂを超えるかについて判断する（Ｓ１１３）。このように、ステップＳ１１２〜ステップＳ１１４を繰り返して読取値を目標値Ｂに収束させる。
【００７１】
その結果、これ以上光量を上げると目標値Ｂを超えると判断されると（Ｓ１１３：Ｙｅｓ）、主制御部２７は本光量調整動作を終了する。
【００７２】
このように、光源の光量を最大とするように光量調整を行うことで、光ショットノイズの影響を低減でき、画像のＳ／Ｎを向上させ、色変換精度を向上させることができる。
【００７３】
ところで、図９に示す光量調整動作では、基準白板で光量調整を行う場合に、基準白板の読取値が飽和しないように調整されるため、原理的には基準白板より明るい濃度を持つ被写体を読み取ると読取値が飽和し、色検出を行えない場合がある。つまり色変換の対応濃度範囲が狭いことが問題となる場合がある。アプリケーションによっては光量アップによるＳ／Ｎ向上よりも対応濃度範囲が必要とされるケースがあるため、対応濃度範囲は色検出を行うに当たり重要なファクタの一つである。
【００７４】
図１０は、色変換の対応濃度範囲を拡張させる場合の光量調整動作の制御フローを示す図である。図１０に示すステップＳ１２１〜ステップＳ１２４は、図９に示すステップＳ１１１〜ステップＳ１１４に対応する。図９との違いは、ステップＳ１１３において、読取値を判断する目標値ＢをＢ＊０．８７としている点である。すなわち、基準白板より明るい被写体を読み取るために、基準白板を読み取る際の調整目標値を予め低めに設定しておくことで明るい被写体にも対応させる。この例では基準白板の濃度を０．０６（反射率換算：役８７％）とした場合の目標値を示しており、図９の光量調整に比べて目標値を１３％下げている。つまり、基準白板より１３％明るい被写体まで対応することができる。
【００７５】
以上のように、光量調整の調整目標値を基準白板よりも明るいレベルに調整することにより、色変換の対応濃度範囲を広げ、基準白板より明るい被写体にも対応することができるようになる。
【００７６】
なお、この例では調整目標値を１３％減としているが、これは反射率１００％に相当する。つまり、調整目標値を一例で示す値よりさらに下げることで、反射率１００％以上、すなわち原理的に全ての濃度の被写体に対応することが可能となる。
【００７７】
（変形例２）
量子化誤差の影響を低減することにより色変換を高精度化することが可能になる。変形例２では、量子化誤差の影響を低減する変形例について示す。なお、以下において、変形例１と共通する部分については同一の番号を付すなどして説明を省略し、変形例１と異なる構成について主に説明する。
【００７８】
図１１は、変形例２の読取装置の構成の一例を示す図である。図１１に示す変形例２の読取装置２は、増幅部３１を設けている点で、変形例１の構成（図６参照）とは異なる。
【００７９】
増幅部３１は、イメージセンサ２２の出力を増幅し、増幅後の画像データを信号処理部２３へ出力する。これにより、色変換部２４０は、増幅後の画像データに基づいて生成された色変換式で色検出を行う。
【００８０】
図１２は、主制御部２７による制御フローの一例を示す図である。図１２（ａ）は色検出準備段階において第一の情報取得動作と情報変換動作とを行う制御フローを示し、図１２（ｂ）は色検出実行段階において第二の情報取得動作（第一の情報取得動作についても同じ）と情報変換動作とを行う制御フローを示している。
【００８１】
図１２（ａ）において、ステップＳ５１、Ｓ５３、Ｓ５４、Ｓ５５は、変形例１に示す制御フロー（図７参照）のステップＳ３１、Ｓ３２、Ｓ３３、Ｓ３４が対応する。変形例１との違いは、主制御部２７がステップＳ５２で増幅率調整を行う点である。光量調整の後に増幅率調整を行い、以降の増幅率を調整後の増幅率Ｃに固定する。
【００８２】
図１２（ｂ）において、ステップＳ６１〜Ｓ６４は、変形例１に示す制御フロー（図７参照）のステップＳ４１〜Ｓ４４が対応する。
【００８３】
以上のように、変形例２では、イメージセンサ２２の出力を増幅し、増幅後の画像データの使用により、量子化誤差の影響を相対的に小さくする。従って、色変換精度をさらに向上させることができる。
【００８４】
（実施例２）
実施例１の読取装置２を画像形成装置に適用した例を示す。ここでは一例として、読取装置２を画像形成装置の一例である複合機に適用した例を示す。
【００８５】
図１３は、実施例２の複合機の構成の一例を示す図である。図１に示す複合機１００は、画像読取ユニット（読取ユニット１０１およびＡＤＦ１０２）を有し、その下部に画像形成ユニット１０３を有する。画像形成ユニット１０３については、内部の構成を説明するために、外部カバーを外して内部の構成を示している。
【００８６】
ＡＤＦ１０２は、載置台に載置した原稿を自動搬送する。読取ユニット１０１は、原稿を載置するコンタクトガラスを上面に有し、コンタクトガラス上の原稿を読み取る。具体的に読取ユニット１０１は、内部に照明装置や、光学系や、ＣＣＤ（Charge  Coupled  Device）等のイメージセンサを有するスキャナであり、照明装置で照明した原稿の反射光を光学系を通じてイメージセンサで読み取る。
【００８７】
画像形成ユニット１０３は、記録紙を手差しする手差ローラ１０４や、記録紙を供給する記録紙供給ユニット１０７を有する。記録紙供給ユニット１０７は、多段の記録紙給紙カセットから記録紙を繰り出す機構を有する。供給された記録紙は、レジストローラ１０８を介して二次転写ベルトに送られる。
【００８８】
二次転写ベルト上を搬送する記録紙は、転写部において一次転写ベルト上のトナー画像が転写される。
【００８９】
また、画像形成ユニット１０３は、光書込装置１０９や、タンデム方式の作像ユニット（Ｙ、Ｍ、Ｃ、Ｋ）１０５や、中間転写ベルト１１３や、上記二次転写ベルトなどを有する。作像ユニット１０５による作像プロセスにより、光書込装置１０９が書き込んだ画像を中間転写ベルト１１３上にトナー画像として形成する。
【００９０】
具体的に、作像ユニット（Ｙ、Ｍ、Ｃ、Ｋ）１０５は、４つの感光体ドラム（Ｙ、Ｍ、Ｃ、Ｋ）を回転可能に有し、各感光体ドラムの周囲に、帯電ローラ、現像器、一次転写ローラ、クリーナーユニット、及び除電器を含む作像要素１０６をそれぞれ備える。各感光体ドラムにおいて作像要素１０６が機能し、感光体ドラム上の画像が各一次転写ローラにより中間転写ベルト１１３上に転写される。
【００９１】
中間転写ベルト１１３は、各感光体ドラムと各一次転写ローラとの間のニップに、駆動ローラと従動ローラとにより張架して配置されている。中間転写ベルト１１３に一次転写されたトナー画像は、中間転写ベルト１１３の走行により、二次転写装置で二次転写ベルト上の記録紙に二次転写される。その記録紙は、二次転写ベルトの走行により、定着装置１１０に搬送され、記録紙上にトナー画像がカラー画像として定着する。その後、記録紙は、読取装置１１４（読取装置２に相当）を通って機外の排紙トレイへと排出される。読取装置１１４の対向位置には基準白板１１５が配置されている。なお、両面印刷の場合は、反転機構１１１により記録紙の表裏が反転されて、反転された記録紙が二次転写ベルト上へと送られる。
【００９２】
このように、実施例１に示す読取装置２を画像形成装置に備えることで、高色再現性を有した画像形成装置を提供することができる。また、色変換式の生成に用いる基準チャートを画像形成装置自身の色材で印刷し、それを用いて色変換式を生成することで、画像形成装置自身が持つ印刷特性に最適化された色変換式の生成が可能となり、より色変換精度を向上させることができる。
【００９３】
また、液晶ディスプレイや、板金塗装や、高演色色材などは色検査を行う工程がある。実施例１の読取装置２は、画像形成装置に限らず、それらの色検査の工程に適用することも可能であり、その場合、高い検査性能を有した検査装置を提供することが可能になる。
【００９４】
（実施例３）
図１に示す情報検出装置１は、ＴＯＦ（Ｔｉｍｅ  Ｏｆ  Ｆｌｉｇｈｔ）型測距装置などへの適用も可能である。ＴＯＦは任意の物体に当てた光が戻るまでの飛行時間を測定することで距離を計測する測距方法である。ＴＯＦでは、キャリブレーション用に基準対象から取得した第一光の飛行時間を第一情報、測定対象から取得した第二光の飛行時間を第二情報、第一光の飛行時間を用いて飛行時間を距離情報に変換する手段を情報変換部、測定対象の距離情報を第三情報、第一光と第二光の光波長を情報取得条件、それら光波長を同じ波長に固定化する手段を情報取得制御部と考える。この場合、第一光と第二光の光波長に差異があると飛行時間の重みが変わるため測距誤差となるが、図１に示す情報検出装置１により、第一光と第二光の光波長を同じにして飛行時間の相関を高めることで距離情報への変換精度を向上させることができる。すなわち、測距精度を上げることができる。
【００９５】
本実施の形態の情報検出装置の制御部（各実施例および変形例の制御部も含む）は、専用のハードウェアで構成してもよいし、汎用のコンピュータで構成してもよい。汎用のコンピュータにおいては、ＣＰＵ（Central  Processing  Unit）がＲＯＭ（Read  Only  Memory）等に格納されたプログラムを実行することにより、上記各種の動作を行う機能部を制御部に実現し、各種動作や、各部の制御を行う。当該プログラムは、ＲＯＭに予め組み込んで提供してもよい。また、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されてもよい。また、インターネット等のネットワークに接続されたコンピュータ上に格納し、ネットワーク経由でダウンロードさせることにより提供するように構成してもよい。
【符号の説明】
【００９６】
１    情報検出装置
１１  取得部
１２  情報変換部
１３  制御部
【先行技術文献】
【特許文献】
【００９７】
【特許文献１】特開２０１２−１００２２５号公報
【図１】
2019193222.tif 000003
【図２】
2019193222.tif 000004
【図３】
2019193222.tif 000005
【図４】
2019193222.tif 000006
【図５】
2019193222.tif 000007
【図６】
2019193222.tif 000008
【図７】
2019193222.tif 000009
【図８】
2019193222.tif 000010
【図９】
2019193222.tif 000011
【図１０】
2019193222.tif 000012
【図１１】
2019193222.tif 000013
【図１２】
2019193222.tif 000014
【図１３】
2019193222.tif 000015